(57)【要約】【課題】容器本体から取り外されたかどうかを確認することができる注出キャップ及び、それを有する容器を提供する。【解決手段】本発明のキャップ10は、容器本体1の口筒部2aを取り囲む装着筒11bを有して取出し口A1が天壁11aに形成された本体11と、口筒部2aの上端に固定される天壁14aに開口部A2が形成された中栓14と、当該中栓14と本体11の天壁との間に配置されて開口部A2を開閉する逆止弁15を備える。逆止弁15は、本体天壁11aに固定される連結筒15aの内側に、連結片15cを介して開口部A2を開閉する弁体15bを一体に連結する。弁体15bには、開口部A2を貫通するとともに当該開口縁部14a1に抜け止め保持される抜け止め部16を設ける。キャップ10を取り外すと、弁体15bのみ中栓14に残って連結片15cが引き伸ばされる。また、容器本体は、外気導入孔2hを有する外層体2と、その内側に剥離可能に配置された内層体3からなる二重容器1である。【選択図】図４
2014028641.tif 000002
【特許請求の範囲】
【請求項１】
容器本体の口筒部を取り囲む装着筒を有して取出し口が天壁に形成された本体と、口筒部の上端に固定される天壁に開口部が形成された中栓と、当該中栓と本体の天壁との間に配置されて前記開口部を開閉する逆止弁を備え、
当該逆止弁は、本体の天壁に固定される連結筒の内側に、可撓性を有する連結片を介して前記開口部を開閉する弁体を一体に連結し、
当該弁体に、前記開口部を貫通するとともに当該開口部を形作る縁部に抜け止め保持される抜け止め部を設けたものであることを特徴とする注出キャップ。
【請求項２】
請求項１において、本体は、口筒部に対して装着筒をねじ付けるものであることを特徴とする注出キャップ。
【請求項３】
請求項１又は２において、逆止弁は、筒部材の内側に、複数の連結片を介して前記開口部を開閉する弁体が一体に設けられたものであることを特徴とする注出キャップ。
【請求項４】
請求項３において、逆止弁は、筒部材に、容器本体に形成された外気導入孔を開閉する外気導入弁が一体に設けられたものであることを特徴とする注出キャップ。
【請求項５】
請求項１乃至４のいずれか１項に記載の注出キャップを容器本体に装着してなることを特徴とする容器。
【請求項６】
請求項５において、前記容器本体は、外気導入孔を有する外層体と、その内側に剥離可能に配置された内層体からなる二重容器であることを特徴とする容器。
【発明の詳細な説明】
【技術分野】
【０００１】
本発明は、容器本体の口筒部を取り囲む装着筒を有して取出し口が天壁に形成された本体と、口筒部の上端に固定される天壁に開口部が形成された中栓と、当該中栓と本体の天壁との間に配置されて前記開口部を開閉する逆止弁を備える注出キャップ及びそれを有する容器であって、注出キャップの取り外しの有無を確認するための技術に関するものである。
【背景技術】
【０００２】
逆止弁を備える注出キャップには、計量キャップとして構成されたものがあり、その目的とするところは、容器本体に対する外気導入の阻止にある（例えば、特許文献１参照）。
【先行技術文献】
【特許文献】
【０００３】
【特許文献１】特開２０１１−３１９３２号公報
【発明の概要】
【発明が解決しようとする課題】
【０００４】
しかしながら、こうした注出キャップは、口筒部に対して強固に螺合させているものの、誤って容器本体から取り外されてしまう場合も想定される。このように、キャップが誤って取り外されてしまった場合、外気の遮断という本来の目的が没却されてしまうことが考えられる。
【０００５】
本発明の目的とするところは、容器本体から取り外されたかどうかを確認することができる注出キャップ及び、それを有する容器を提供することにある。
【課題を解決するための手段】
【０００６】
本発明の注出キャップは、容器本体の口筒部を取り囲む装着筒を有して取出し口が天壁に形成された本体と、口筒部の上端に固定される天壁に開口部が形成された中栓と、当該中栓と本体の天壁との間に配置されて前記開口部を開閉する逆止弁を備え、
当該逆止弁は、本体の天壁に固定される連結筒の内側に、可撓性を有する連結片を介して前記開口部を開閉する弁体を一体に連結し、
当該弁体に、前記開口部を貫通するとともに当該開口部を形作る縁部に抜け止め保持される抜け止め部を設けたものであることを特徴とするものである。
【０００７】
本発明では、本体は、口筒部に対して装着筒をねじ付けるものであることが好ましい。また、本発明では、逆止弁は、筒部材の内側に、複数の連結片を介して前記開口部を開閉する弁体が一体に設けられたものとすることができる。この場合、筒部材に、容器本体に形成された外気導入孔を開閉する外気導入弁を一体に設けることができる。加えて、本発明は、上記注出キャップを容器本体に装着してなることを特徴とする容器である。この容器本体としては、外気導入孔を有する外層体と、その内側に剥離可能に配置された内層体からなる二重容器が挙げられる。
【発明の効果】
【０００８】
本発明では、本体を口筒部から取り外そうとすると、逆止弁は本体とともに上昇する。次いで、本体の上昇が所定の高さまで達すると、逆止弁の弁体が中栓に引っ掛かって動かなくなる。これにより、本体を無理に取り外そうとすると、弁体を繋ぐ連結片が伸びてしまう、又は切れてしまうことで、弁体の機能が失われる。また、確認のために本体を取り外そうとするときに、その取り外しがスムースになされたり、本体を取り外して、連結片が伸びてしまっている、或いは切れてしまっていることを視認することでも、注出キャップが容器本体から取り外されたかどうかを確認することができる。従って、本発明によれば、容器本体から取り外されたかどうかを確認することができる注出キャップ及び、それを有する容器を提供することができる。
【図面の簡単な説明】
【０００９】
【図１】本発明の一実施形態であるヒンジキャップを二重容器に採用してなるスクイズ容器の要部を示す断面図である。
【図２】図１の拡大図である。
【図３】同ヒンジキャップの取り外し作業の初期状態を示す断面図である。
【図４】同ヒンジキャップの取り外しが完了した状態を示す断面図である。
【発明を実施するための形態】
【００１０】
以下、図面を参照して、本発明の一実施形態であるヒンジキャップを、同ヒンジキャップを採用してなるスクイズ容器とともに詳細に説明する。
【００１１】
図１中、符号１は、容器本体としての二重容器（剥離容器）である。符号２は、二重容器１を構成する外層体である。外層体２は、合成樹脂製等の可撓性材料で成形されており、変形及び復元が可能である。外層体２は、口筒部２ａを有したボトル形状を有する。口筒部２ａには、ねじ部Ｓ２が形成されている。符号３は、外層体２とともに、二重容器１を構成する内層体である。内層体３は、外層体２の内側に剥離可能に設けられた薄肉の袋体である。内層体３の内側には、内容物を充填するための空間Ｒが形成されている。内層体３は、口筒部２ａの上端側に固定されることで、内容物の減少とともに外層体２の内側から剥離する。内層体３は、口筒部２ａに形成された貫通孔（外気導入孔）２ｈを通して、内層体３との間に外気が導入されることで剥離が促進される。
【００１２】
符号１０は、本発明の一実施形態であるヒンジキャップである。符号１１は、ヒンジキャップ１０を構成する本体である。本体１１は、取出し口Ａ１が形成された天壁１１ａとともに、天壁１１ａの外縁から一体に伸びる装着筒１１ｂを有する。装着筒１１ｂは、天壁１１ａから口筒部２ａを取り囲むように垂下する。装着筒１１ｂには、口筒部のねじ部Ｓ２にねじ付けられるねじ部Ｓ１が形成されている。装着筒１１ｂの下端部１１ｂ1は、本体１１が口筒部２ａに装着されたとき、図示のように、外層体２に設けた頚部２ｂに密封保持される。なお、本実施形態では、下端部１１ｂ1に環状のシール突起１１ｓが設けられているとともに、このシール突起１１ｓが嵌合する環状の凹部２ｓが頚部２ｂに設けられている。これにより、下端部１１ｂ1と頚部２ｂとの間は強固に密封保持されている。
【００１３】
また、本体１１には、ヒンジ１２を介して蓋体１３が一体に設けられている。蓋体１３は、天壁１１ａから間隔を置いて配置される天壁１３ａとともに、天壁１３ａの外縁から垂下する周壁１３ｂが一体に設けられている。これにより、蓋体１３は、図１に示すように、本体１１に対して閉じたときに、この本体１１との間に空間を形成する。この空間には、天壁１３ａからシャフト１３ｃが一体に垂下する。シャフト１３ｃは、取出し口Ａ１を形成する天壁１１ａに設けられた筒体部１１ｄを密封する。
【００１４】
符号１４は、ヒンジキャップ１０を構成する中栓である。中栓１４は、図２に示すように、開口部Ａ２が形成された天壁１４ａを有し、固定部Ｃ１によって口筒部２ａに強固かつ液密状態に固定されている。固定部Ｃ１としては、例えば、同図のように、口筒部２ａに形成された環状の突起２ｃと、この突起２ｃを嵌合させる天壁１４ａに形成された環状の凹部１４ｃ1が挙げられる。なお、本実施形態では、固定部Ｃ１は更に、突起２ｃに凸部２ｆ1を設けるとともに、凹部１４ｃ1に凸部１４ｆ1を設け、これら凸部２ｆ1及び１４ｆ1を互いに引っ掛けることで、係止されている。これにより、本実施形態では、中栓１４は、口筒部２ａに対して、より強固かつ液密状態に固定されている。また、本実施形態では、天壁１４ａからシール筒１４ｓが一体に垂下する。シール筒１４ｓは、口筒部２ａの内側（内層体３）を更に、強固かつ液密状態に固定保持する。
【００１５】
また、中栓１４は、天壁１４ａの外縁から伸びる筒壁１４ｂを有する。筒壁１４ｂは、天壁１４ａから一体に起立する。筒壁１４ｂは、図２に示すように、本体１１に組み付けたとき、筒壁１４ｂの上端１４ｅ2が環状の凹所１１ｃ1に接触するとともに、装着筒１１ｂの内側に設けられた環状の膨出部１１ｂ2に密封保持される。これにより、中栓１４は、図１に示すように、本体１１に組み付けることができる。
【００１６】
符号１５は、ヒンジキャップ１０を構成する逆止弁である。逆止弁１５は、合成樹脂製等の可撓性材料で成形されており、変形及び復元が可能である。逆止弁１５は、本体の天壁１１ａと中栓の天壁１４ａとの間に配置されている。逆止弁１５は、筒部材としての連結筒１５ａを有し、その下端部１５ａ1が固定部Ｃ２によって中栓１４に強固かつ液密状態に固定されているとともに、その上端部１５ａ2が固定部Ｃ３によって本体１１に強固かつ液密状態に固定されている。固定部Ｃ２としては、例えば、図２のように、連結筒の下端部１５ａ1と、この下端部１５ａ1を嵌合させる中栓の天壁１４ａに設けられた環状の凹部１４ｃ2が挙げられる。更に、本実施形態では、連結筒の下端部１５ａ1に環状凸部１５ｆ1を設けるとともに、この凸部１５ｆ1を嵌合させる環状凸部１４ｆ2を凹部１４ｃ2に設けることで、より強固かつ液密状態に固定されている。
【００１７】
また、固定部Ｃ３としては、例えば、図２のように、連結筒の上端部１５ａ2と、この上端部１５ａ2を嵌合させる本体の天壁１１ａに設けられた環状の凹部１１ｃ2が挙げられる。更に、本実施形態では、上端部１５ａ2に環状凸部１５ｆ2を設けるとともに、この凸部１５ｆ2を嵌合させる環状凸部１１ｆ1を凹部１１ｃ2に設けることで、より強固かつ液密状態に固定されている。これにより、逆止弁１５は、本体１１及び中栓１４に対して抜け止め保持される。なお、本実施形態では、本体の天壁１１ａからシール筒１１ｅが一体に垂下する。シール筒１１ｅは、上端部１５ａ2をより強固に液密状態に保持する。
【００１８】
加えて、本実施形態では、固定部Ｃ３の保持力が固定部Ｃ２よりも強固になるように設定する。保持力は、例えば、上述の凸部の形状等を設定することで調整することができる。これにより、固定部Ｃ２は、本体１１が強く引き上げられると、固定部Ｃ３に先んじて、その固定を解除する。すなわち、本実施形態では、本体１１が強く引き上げられると、逆止弁の連結筒１５ａは中栓１４から分離して、本体１１とともに取り外される。
【００１９】
また、連結筒１５ａの内側には、開口部Ａ２を開閉する弁体１５ｂが配置されている。弁体１５ｂは、軸線Ｏ周りに配置された複数の連結片１５ｃを介して連結筒１５ａに一体に設けられている。これにより、二重容器１内の圧力が上昇すると、弁体１５ｂは、連結片１５ｃに抗して開口部Ａ２を開放し、二重容器１内の圧力が低下すると、連結片１５ｃの復元力によって開口部Ａ２を封止する。
【００２０】
加えて、弁体１５ｂには、抜け止め部１６が設けられている。抜け止め部１６は、開口部Ａ２を貫通する中空部１６ａを有する。中空部１６ａは、弁体１５ｂに一体に設けられている。中空部１６ａの末端には、爪部１６ｂが設けられている。爪部１６ｂは、開口部Ａ２を形作る縁部１４ａ1に引っ掛かることで係止される。これにより、弁体１５ｂは、中栓１４に対して抜け止め保持される。すなわち、弁体１５ｂは、本体１１とともに、爪部１６ｂまでの長さＬまで引き出された後は、この長さＬのまま、中皿１４に抜け止め保持される。なお、抜け止め部１６には、中空部１６ａにその先端から軸線に対して対向する位置にそれぞれスリットを形成し、中空部１６ａに可撓性を持たせることで、開口部Ａ２への挿入を容易することができる。
【００２１】
一方、連結筒１５ａの外側には、本体の天壁１１ａに形成された貫通孔１１ｈを封止する環状の弾性舌片１５ｔが一体に設けられている。弾性舌片１５ｔは、二重容器１内の圧力が低下しない状態では、図１に示すように、弾性舌片１５ｔの付勢力によって貫通孔１１ｈを封止する。これに対し、内容物の排出により二重容器１（内層体３）内の圧力が減少すると、外層体２と内層体３との間に生じる負圧が口筒部２ａに形成された貫通孔２ｈを通して弾性舌片１５ｔの背面を引き離すことで、弾性舌片１５ｔは、その付勢力に抗して貫通孔１１ｈを開放する。これにより、貫通孔１１ｈを通して外気が外層体２と内層体３との間に導入されることで、内層体３を外層体２に対して容易に剥離させることができる。すなわち、弾性舌片１５ｔは、外気導入弁として機能する。なお、本実施形態では、中栓の天壁１４ａと筒壁１４ｂの間に、装着筒１１ｂとの間での外気を容易に行うために、貫通孔１４ｈが形成されている。
【００２２】
ここで、ヒンジキャップ１０を二重容器１から取り外すときに起きる現象の一例を説明する。
【００２３】
本実施形態では、ヒンジキャップ１０は、図１に示すように、二重容器１の口筒部２ａに対してねじ付けられている。使用者等が何らかの目的で、ヒンジキャップ１０を回すと、ヒンジキャップ１０は、口筒部２ａに沿って上昇する。すると、固定部Ｃ２の固定が解除されることで、逆止弁１５は、図３に示すように、本体１１とともに上昇する。次いで、本体１１の上昇が所定の高さＬまで達すると、同図に示すように、弁体１５ｂに設けられた抜け止め部１６の爪部１６ｂが開口部Ａ２を形作る縁部１４ａ1に引っ掛かることで係止される。このように、爪部１６ｂが縁部１４ａ1に引っ掛かると、弁体１５ｂのみ中栓１４に引っ掛かって動かなくなる。これにより、更に本体１１を無理に取り外そうとすると、図４に示すように、弁体１５ｂを繋ぐ連結片１５ｃが伸びてしまうことで、連結片１５ｃ（弁体１５ｂ）の機能が失われる。また、弁体１５ｂを繋ぐ連結片１５ｃが切れてしまった場合でも同様のことが言える。
【００２４】
また、本実施形態では、例えば、使用者が確認のために本体１１を取り外そうとするときに、取出し口Ａ１からの内容物の取り外しがスムースになされたり、本体１１を取り外して、連結片１５ｃが伸びてしまったり、連結片１５ｃが切断されることで本体１１が取り外されたところを視認することでも、ヒンジキャップ１０が二重容器１から取り外されたかどうかを確認することができる。従って、本実施形態によれば、二重容器１から取り外されたかどうかを確認することができるヒンジキャップ１０及び、それを有するスクイズ容器を提供することができる。
【００２５】
特に、本実施形態のように、本体１１が口筒部２ａに対して装着筒１１ｂをねじ付けられる容器の場合、ヒンジキャップ１０が比較的容易に取り外されてしまうことが考えられる。このため、こうしたスクリューキャップに本発明を採用すれば有効である。
【００２６】
上述したところは、本発明の一形態を示したにすぎず、本発明に従えば、種々の変更を加えることができる。例えば、本発明の注出キャップは、本体１１と中栓１４との間に逆止弁１５を配置したものであるため、密閉性が要求される容器に採用されるのが好ましい。このため、スクイズ容器のような二重容器に採用することが好ましいが、密閉性が要求される容器であれば単層の容器に採用することもできる。このため、本発明に従えば、貫通孔２ｈ，１１ｈ，１４ｈ等の外気導入路は省略することができる。蓋体１３は、ヒンジ式のものに限定されることなく、ねじ式等の様々なものを採用することができる。
【産業上の利用可能性】
【００２７】
本発明は、容器本体の口筒部を取り囲む装着筒を有して取出し口が天壁に形成された本体と、当該本体の天壁と口筒部の上端との間に固定される天壁に開口部が形成された中栓と、当該中栓と本体の天壁との間に配置されて前記開口部を開閉する逆止弁を備える注出キャップであれば、様々なキャップに適用させることができる。
【符号の説明】
【００２８】
１      二重容器（容器本体）
２      外層体
２ａ    口筒部
２ｂ    頚部
２ｈ    貫通孔（外気導入孔）
３      内層体
１０    ヒンジキャップ（注出キャップ）
１１    本体
１１ａ  天壁
１１ｂ  装着筒
１１ｂ1 下端部
１１ｂ2 上端部
１１ｃ1 凹所
１１ｃ2 凹部
１１ｄ  筒体部
１１ｈ  貫通孔（外気導入路）
１２    ヒンジ
１３    蓋体
１４    中栓
１４ａ  天壁
１４ｂ  筒壁
１４ｅ1 下端
１４ｅ2 上端
１４ｈ  貫通孔（外気導入路）
１５    逆止弁
１５ａ  連結筒
１５ｂ  弁体
１５ｃ  連結片
１５ｔ  弾性舌片（外気導入弁）
１６    抜け止め部
１６ａ  中空部
１６ｂ  爪部
Ａ１    取出し口
Ａ２    開口部
Ｃ１    固定部
Ｃ２    固定部
Ｃ３    固定部
【図１】
2014028641.tif 000003
【図２】
2014028641.tif 000004
【図３】
2014028641.tif 000005
【図４】
2014028641.tif 000006